(57)【要約】【課題】ある一定期間に購入する有料放送の番組を予算に合わせて計画することは非常に困難であり、視聴したい番組を購入するために予算超過や、予算がたりなく視聴できないといったことが起こる可能性があり視聴者に混乱を与える。【解決手段】有料放送番組の購入上限金額設定手段と、放送波で送られるＶＢＩやＳＩ等あるいはインターネットにより番組情報を取得する番組情報取得手段と、前記番組情報取得手段から番組表情報を取得する番組表情報取得手段と、前記番組情報取得手段から課金情報を取得する課金情報取得手段と、番組購入するための購入番組選択手段と、前期購入番組選択手段で購入選択された番組の課金合計と前期購入上限金額設定手段で予め設定された購入上限金額とを比較する収支計算手段と、視聴者の購入選択した番組の一覧と前記収支計算手段の結果を反映させて表示する購入番組選択手段から構成される番組購入選択機能を備える。【選択図】図１
2007214866.tif 000002
【特許請求の範囲】
【請求項１】
有料放送番組の購入上限金額設定手段と、放送波やインターネットから番組情報を取得する番組情報取得手段と、前記番組情報取得手段から番組表情報を取得する番組表情報取得手段と、前記番組情報取得手段から番組の課金情報を取得する課金情報取得手段と、購入する番組を選択する購入番組選択手段と、視聴者が購入選択した番組の課金合計と予め設定した購入上限金額とを比較する収支計算手段からなるテレビ放送受信機。
【請求項２】
番組検索結果が購入番組選択手段で使用されることを特徴とした請求項１に記載のテレビ放送受信機。
【請求項３】
視聴者の嗜好情報から判断される番組が購入番組選択手段で使用されることを特徴とした請求項１に記載のテレビ放送受信機。
【請求項４】
購入決定された番組をＩＲやＨＤＭＩ−ＣＥＣ、ｉ．ＬＩＮＫ等を用いて録画予約ができるようにした請求項１に記載のテレビ放送受信機。
【発明の詳細な説明】
【技術分野】
【０００１】
本発明は、テレビジョン受像機だけでなく、テレビの放送を受信するためのセットトップボックスやパソコンに搭載されるテレビチューナーなどテレビ放送を受信するための装置に関する。
【背景技術】
【０００２】
現在の地上アナログ放送は、コマーシャルメッセージ（以後ＣＭと表記する）を付加することにより無料放送の形態を取るのが主流であるが、ＨＤＤレコーダー等の普及に伴い、前記の形態では放送事業が成り立たなくなりつつある。今後、地上デジタル放送に切り替わった後は、ペイパービュー（以後ＰＰＶと表記する）やペイパーデイ（以後ＰＰＤと表記する）などの有料放送が主流になるであろうことが予想される。
【０００３】
既にＣＳデジタル放送においてＰＰＶやＰＰＤなどの有料放送を購入する仕組みは存在する。また、特開平１０−３０４３３２号のように、番組の購入金額が予め設定しておいた金額を超過すると警告を表示するという仕組みが開示されている。
【特許文献１】特開平１０−３０４３３２号公報
【発明の開示】
【発明が解決しようとする課題】
【０００４】
しかしながら、ある一定期間に購入する番組を予算に合わせて計画することは非常に困難であり、視聴したい番組を購入するために予算超過したり、予算がたりなく視聴できなかったりといったことが起こる可能性があり、視聴者に混乱を与えることになる。
【０００５】
従って、本発明の目的は視聴者に容易に購入する番組を決定する仕組みを提供することである。
【課題を解決するための手段】
【０００６】
本発明は、放送波で送られるＶＢＩやＳＩによる番組情報あるいはインターネットにより取得する番組情報から番組の課金情報を取得し、ある一定期間に視聴者が購入する番組の金額の合計および視聴者の予算にあわせて購入可能番組を表示する機能を提供することで視聴者が容易に有料放送の購入ができるようにする。
【０００７】
第１の発明のテレビ放送受信機は有料放送番組の購入上限金額設定手段と、放送波やインターネットから番組情報を取得する番組情報取得手段と、番組情報取得手段から番組表情報を取得する番組表情報取得手段と、番組情報取得手段から番組の課金情報を取得する課金情報取得手段と、購入する番組を選択する購入番組選択手段と、視聴者が購入選択した番組の課金合計と予め設定した購入上限金額とを比較する収支計算手段を具備する。
【０００８】
第２の発明のテレビ放送受信機は第１の発明に、視聴者の設定した情報に基づき番組情報から検索を行う番組検索手段を付加する。
【０００９】
第３の発明のテレビ放送受信機は第１の発明に、視聴者の視聴する番組から視聴者の嗜好するものを判定する嗜好判定手段と、番組表情報と嗜好判定結果から視聴者が嗜好すると思われる番組を判定し順位付けをする嗜好番組ランキング判定手段を付加する。
【００１０】
第４の発明のテレビ放送受信機は第１の発明に、番組購入を決定された番組を録画予約する録画予約制御手段を付加する。
【発明の効果】
【００１１】
上記のように、第１の発明においては、視聴者が購入選択した番組の課金合計を計算し、予め設定された購入上限金額と比較した結果を購入番組選択手段にフィードバックすることにより、視聴者が容易にかつ計画的に番組購入できる仕組みを提供することができる。
【００１２】
第２の発明においては、検索機能と連動させることで、購入する番組の抽出を容易にできる仕組みを提供できる。
【００１３】
第３の発明においては、視聴者の嗜好情報より視聴者が購入を希望すると予想される番組を自動的に抽出することができるようになり、番組検索などの操作をする手間を省き番組購入がより容易にできる仕組みを提供できる。
【００１４】
第４の発明においては、せっかく購入した番組の視聴機会を逸することがないように録画予約をすることで、確実に視聴できるようにする機能を提供できる。
【発明を実施するための最良の形態】
【００１５】
（実施の形態１）
図１は、本発明の請求項１に記載の発明に係わる実施の形態の一例を表すブロック図である。１は放送波やインターネットから番組情報を取得する番組情報取得手段であり、２は番組情報１からデータ線１１を介して番組表情報を取得する番組表取得手段であり、３は番組情報１からデータ線１２を介して番組の課金情報を取得する課金情報取得手段であり、６は視聴者が有料番組を購入する上限金額を設定する購入上限金額設定手段であり、４は視聴者が選択した番組の課金情報を課金情報取得手段３からデータ線１３を介して得て集計を行い購入上限金額設定手段６からデータ線１７を介して得た購入上限金額情報と比較する収支計算手段であり、５は視聴者が番組表取得手段３からデータ線１４を介して得た番組表情報から購入する番組を選択し一覧表示する購入番組選択手段でありデータ線１５を介し番組選択情報を収支計算手段４に通知し収支計算手段の判定結果を、データ線１６を介して得て、結果を反映させ、図２の例のように購入限度額内の番組と限度額を超過した番組とを区別して表示する。図８に本発明の購入番組選択手段に関するアルゴリズムのフローチャートの例を示す。なお、図２の表示例は単なる一例であり、他に様々な提示形式が考えられる。
【００１６】
以上のように本発明の実施の形態１に係わるテレビ放送受信機は、購入選択した番組の合計を計算し、予め設定された購入上限金額と比較した結果を購入番組選択手段にフィードバックし視聴者に情報提供することにより、視聴者が容易にかつ計画的に番組購入できる仕組みを提供することができる。
【００１７】
（実施の形態２）
図３は、請求項２に記載の発明に係わる実施の形態の一例を表すブロック図である。実施の形態１を基本にして作図しているので、以後、説明済みの箇所については説明を省略する。３１は視聴者の設定した情報に基づき、番組表情報取得手段２からデータ線３２を介して得た番組情報から検索を行う番組検索手段である。検索結果はデータ線３３を介して購入番組選択手段５に通知され、購入選択する番組の候補として図４の例示のように一覧表示され、そこから購入選択された番組が購入選択番組欄に購入限度額内の番組と限度額を超過した番組とを区別して表示される。なお、図４の表示例は単なる一例であり、他に様々な提示形式が考えられる。
【００１８】
以上のように本発明の実施の形態２に係わるテレビ放送受信機は、検索機能と連動させることで、膨大な番組表データの中から購入する番組を探すという煩わしさが解消され、番組購入がより容易にできる仕組みを提供することができる。
【００１９】
（実施の形態３）
図５は、請求項３に記載の発明に係わる実施の形態の一例を表すブロック図である。４１は視聴者の視聴する番組から視聴者の嗜好するものを判定する嗜好判定手段であり、４２は番組表情報取得手段２からデータ線４３を介して得た番組表情報と嗜好判定手段４１からデータ線４４を介して得た視聴者の嗜好情報から視聴者が嗜好すると想定される番組を判定し順位付けをする嗜好番組ランキング判定手段でありデータ線４５を介して結果が購入番組選択手段５に通知され購入選択する番組の候補として図６の例示ように一覧表示され、そこから購入選択された番組が購入選択番組欄に購入限度額内の番組と限度額を超過した番組とを区別して表示される。なお、図６の表示例は単なる一例であり、他に様々な提示形式が考えられる。
【００２０】
以上のように本発明の実施の形態３に係わるテレビ放送受信機は、視聴者の嗜好情報より視聴者が購入を希望すると予想される番組を自動的に抽出することができるようになり、番組検索などの操作をする手間を省くことができ、番組購入がより容易にできる仕組みを提供できる。
【００２１】
（実施の形態４）
図７は、請求項４に記載の発明に係わる実施の形態の一例を表すブロック図である。５１は購入番組選択手段５の番組購入を決定された番組がデータ線５２を介して通知され、その番組を録画予約する録画予約制御手段である。
【００２２】
以上のように本発明の実施の形態４に係わるテレビ放送受信機は、せっかく購入した番組の視聴機会を逸することがないように録画予約をすることで、確実に視聴できるようにする機能を提供できる。
【産業上の利用可能性】
【００２３】
本発明のテレビ放送受信機は、テレビジョン受像機だけでなく、テレビの放送を受信するためのセットトップボックスやパソコンに搭載されるテレビチューナーなどテレビ放送を受信するための装置に有用である。
【図面の簡単な説明】
【００２４】
【図１】本発明の実施の形態１について説明するブロック図
【図２】本発明の実施の形態１の機能を使用した場合の番組選択画面表示の例を表す図
【図３】本発明の実施の形態２について説明するブロック図
【図４】本発明の実施の形態２の機能を使用した場合の番組選択画面表示の例を表す図
【図５】本発明の実施の形態３について説明するブロック図
【図６】本発明の実施の形態３の機能を使用した場合の番組選択画面表示の例を表す図
【図７】本発明の実施の形態４について説明するブロック図
【図８】本発明の実施の形態１の購入番組選択手段に関するフローチャート
【符号の説明】
【００２５】
１    番組情報取得手段
２    番組表情報取得手段
３    課金情報取得手段
４    収支計算手段
５    購入番組選択手段
６    購入上限金額設定手段
３１    番組検索手段
４１    嗜好判定手段
４２    嗜好番組ランキング判定手段
５１    録画予約制御手段
１１〜１７、３２、３３、４３〜４５、５２    データ線
【図１】
2007214866.tif 000003
【図２】
2007214866.tif 000004
【図３】
2007214866.tif 000005
【図４】
2007214866.tif 000006
【図５】
2007214866.tif 000007
【図６】
2007214866.tif 000008
【図７】
2007214866.tif 000009
【図８】
2007214866.tif 000010